(57)【要約】【課題】フィルター部の取り付け及び取り外し作業を、力を要することなく容易に行うことができる浴室暖房乾燥機を提供する。【解決手段】空気の吸入口３が形成されたグリル板２と、操作部２３を有するフィルター部２０とを備え、フィルター部２０に巻取用接続部材が接続され、グリル板２に、巻取用接続部材を巻き取り収納可能な巻取ローラ３３と、巻取用接続部材を巻き取る方向に巻取ローラ３３を付勢する付勢手段と、操作部２３の操作により付勢手段の付勢力に抗して巻取用接続部材を引き出す回転方向に回転する巻取ローラ３３を任意の回転位置で停止する停止状態とし、且つ、停止状態で操作部２３の操作により所定の引出量以下の巻取用接続部材を引き出すことで停止状態を解除して巻取ローラ３３による巻取用接続部材の巻き取りが完了した巻取完了状態とする回転規制機構とを備えた巻取装置３０が設けられた。【選択図】図２
2015140978.tif 000002
【特許請求の範囲】
【請求項１】
本体の下方に設けられ空気の吸入口及び吹出口が形成されたグリル板と、
操作部を有し、前記グリル板に着脱自在に設けられたフィルター部とを備えた浴室暖房乾燥機であって、
前記フィルター部に巻取用接続部材が接続され、
前記グリル板に、前記巻取用接続部材を巻き取り収納可能な巻取ローラと、前記巻取用接続部材を巻き取る方向に前記巻取ローラを付勢する付勢手段と、前記操作部の操作により前記付勢手段の付勢力に抗して前記巻取用接続部材を引き出す回転方向に回転する前記巻取ローラを任意の回転位置で停止する停止状態とし、且つ、前記停止状態で前記操作部の操作により所定の引出量以下の前記巻取用接続部材を引き出すことで前記停止状態を解除して前記巻取ローラによる前記巻取用接続部材の巻き取りが完了した巻取完了状態とする回転規制機構とを備えた巻取装置が設けられた浴室暖房乾燥機。
【請求項２】
前記グリル板に前記フィルター部を案内する案内部が設けられ、
当該案内部が、前記巻取用接続部材を引き出す方向である引出方向に沿う前記吸入口の縁部と、当該縁部に沿って当該縁部の上部に設けられた案内板との間に形成され、前記案内板の前記案内部の入口に近接する部位に、前記引出方向に沿う断面視で、上方に向けて凹む円弧状の凹部が形成されている請求項１に記載の浴室暖房乾燥機。
【請求項３】
前記巻取用接続部材が帯状部材で構成され、
当該帯状部材の幅を、前記引出方向に直交する方向の前記フィルター部の長さの１／３よりも大きい幅とする請求項２に記載の浴室暖房乾燥機。
【請求項４】
前記フィルター部が、前記引出方向に直交する方向に延びる接続棒を備え、当該接続棒に前記巻取用接続部材を巻設して前記フィルター部と前記巻取用接続部材とが接続されている請求項２又は３に記載の浴室暖房乾燥機。
【請求項５】
前記操作部が棒状部材で形成され、前記棒状部材の長手方向が前記引出方向に沿う状態で、当該棒状部材の一端側が前記フィルター部と接続されている請求項２〜４の何れか一項に記載の浴室暖房乾燥機。
【請求項６】
前記グリル板に前記操作部を収納する収納部が設けられ、
前記収納部又は前記操作部の少なくとも一方に磁石が設けられ、
前記フィルター部が前記空気の吸入口に位置する状態で、当該磁石の磁力により、前記操作部が前記収納部に収納される請求項１〜５の何れか一項に記載の浴室暖房乾燥機。
【発明の詳細な説明】
【技術分野】
【０００１】
本発明は、本体の下方に設けられ空気の吸入口及び吹出口が形成されたグリル板と、
操作部を有し、前記グリル板に着脱自在に設けられたフィルター部とを備えた浴室暖房乾燥機に関する。
【背景技術】
【０００２】
従来の浴室暖房乾燥機として、例えば、下記の特許文献１には、浴室天井に設けられた本体と、その本体下方にグリル板としての化粧パネル１とが備えられた浴室暖房乾燥機が開示されている。この化粧パネル１には浴室内の空気を吸入する吸入口が設けられ、その吸入口には空気中の埃を除去するフィルター部が着脱自在に設けられている。フィルター部は化粧パネルに設けられたフィルターガイド８Ａによって案内され、フィルター部が吸入口に位置する状態で、フィルター部に設けられた突起部１０が、フィルターガイド８Ａに設けられた受部１１に係合するように構成されている。
【０００３】
このような浴室暖房乾燥機によって浴室内の空気を加熱して、例えば、浴室内に干した衣類を乾燥させる場合には、衣類から発生する埃が吸入口から吸込まれるので、吸入口に設けられたフィルター部に埃が堆積する。フィルター部に埃が堆積すると、浴室暖房乾燥機の性能悪化や消費電力増大に繋がるため、フィルター部の清掃のため、定期的にフィルター部を化粧パネルに取り付け及び取り外しすることが必要となる。
【先行技術文献】
【特許文献】
【０００４】
【特許文献１】特開平８−２８０９９８号公報
【発明の概要】
【発明が解決しようとする課題】
【０００５】
しかしながら、上記特許文献１の浴室暖房乾燥機では、化粧パネルが浴室天井に設けられているので、作業者は踏み台等を利用して、フィルター部の化粧パネルへの取り付け及び化粧パネルからの取り外しの作業を行うことが必要であった。また、フィルター部を化粧パネルに取り付けると、フィルター部の突起部が化粧パネルの受部に係合するので、フィルター部を化粧パネルから取り外すには、この突起部と受部との係合を解除する必要があり、フィルター部の取り外しの作業が繁雑になるという問題があった。
さらに、フィルター部の取り付け及び取り外し作業において、突起部と受部とを係合させるため及びその係合を解除するための力を要するという問題があった。
【０００６】
本発明は、かかる点に着目してなされたものであり、その目的は、フィルター部の取り付け及び取り外し作業を、力を要することなく容易に行うことができる浴室暖房乾燥機を提供することにある。
【課題を解決するための手段】
【０００７】
この目的を達成するための本発明に係る浴室暖房乾燥機は、
本体の下方に設けられ空気の吸入口及び吹出口が形成されたグリル板と、
操作部を有し、前記グリル板に着脱自在に設けられたフィルター部とを備えた浴室暖房乾燥機であって、
前記フィルター部に巻取用接続部材が接続され、
前記グリル板に、前記巻取用接続部材を巻き取り収納可能な巻取ローラと、前記巻取用接続部材を巻き取る方向に前記巻取ローラを付勢する付勢手段と、前記操作部の操作により前記付勢手段の付勢力に抗して前記巻取用接続部材を引き出す回転方向に回転する前記巻取ローラを任意の回転位置で停止する停止状態とし、且つ、前記停止状態で前記操作部の操作により所定の引出量以下の前記巻取用接続部材を引き出すことで前記停止状態を解除して前記巻取ローラによる前記巻取用接続部材の巻き取りが完了した巻取完了状態とする回転規制機構とを備えた巻取装置が設けられた点にある。
【０００８】
本発明に係る浴室暖房乾燥機の第１特徴構成によれば、フィルター部に巻取用接続部材が接続され、その巻取用接続部材を巻き取る方向に付勢する付勢手段を備えた巻取ローラがグリル板に設けられているので、巻取ローラによって巻取用接続部材が巻き取られることでフィルター部がグリル板の吸入口の正しい位置に装着されるように構成することができる。
【０００９】
また、付勢手段の付勢力に抗して巻取用接続部材をグリル板から引き出す方向に回転する巻取ローラを任意の回転位置で停止する停止状態とする回転規制機構を備えるので、作業者が操作部を操作して、フィルター部をグリル板から引き出すことで、フィルター部がグリル板から引き出された状態で停止させることができる。
また、回転規制機構は、このフィルター部がグリル板から引き出されて停止している状態で、所定の引出量以下の巻取用接続部材が引き出されると、巻取ローラの停止状態を解除して、付勢手段の付勢力により、巻取ローラによる巻取用接続部材の巻き取りが完了した巻取完了状態とするので、作業者が所定の引出量以下の巻取用接続部材を引き出し量となるようにフィルター部を引き出すだけで、フィルター部がグリル板の吸入口の正しい位置に装着された状態に戻すことができる。
よって、フィルター部のグリル板への取り付け及びグリル板からの取り外し作業の容易化を可能にすることができる。
【００１０】
本発明に係る浴室暖房乾燥機の第２特徴構成は、上記浴室暖房乾燥機の第１特徴構成に加えて、
前記グリル板に前記フィルター部を案内する案内部が設けられ、
当該案内部が、前記巻取用接続部材を引き出す方向である引出方向に沿う前記吸入口の縁部と、当該縁部に沿って当該縁部の上部に設けられた案内板との間に形成され、前記案内板の前記案内部の入口に近接する部位に、前記引出方向に沿う断面視で、上方に向けて凹む円弧状の凹部が形成されている点にある。
【００１１】
上記浴室暖房乾燥機の第２特徴構成によれば、フィルター部が、グリル板の吸入口の縁部と、その縁部の上部に設けられた案内板との間に形成された案内部（案内用の空間）によって案内されるので、巻取用接続部材の巻き取りに伴うフィルター部のグリル板への装着及び手動によるフィルター部のグリル板からの取り外しを安定して行うことができる。
また、案内部の入口に近接する案内板の部位に上方に向けて凹む円弧状の凹部が形成されているので、巻取用接続部材の巻き取りに伴って、急速にフィルター部がグリル板の下方から上方に向かって引き上げられ、フィルター部の先端部が上方に向かって案内部に侵入した場合でも、案内部に形成された上方に向けて凹む円弧状の凹部に侵入当接し、余裕をもって案内部内に引き込まれ、その先端部が凹部の円弧状面により案内部が延びる方向に案内される。よって、フィルター部を案内部内において円滑に案内してグリル板に取り付けることができる。
【００１２】
本発明に係る浴室暖房乾燥機の第３特徴構成は、上記浴室暖房乾燥機の第２特徴構成に加えて、
前記巻取用接続部材が帯状部材で構成され、
当該帯状部材の幅を、前記引出方向に直交する方向の前記フィルター部の長さの１／３よりも大きい幅とする点にある。
【００１３】
上記浴室暖房乾燥機の第３特徴構成によれば、帯状部材がフィルター部との接続部の引出方向に直交する方向において、その方向のフィルター部の長さに対応する所定の幅を有することとなるので、フィルター部のグリル板への取り付けの際に、巻取装置による巻取用接続部材の巻き取りにより、フィルター部を安定してグリル板の案内部に引き込むことができる。また、フィルター部のグリル板からの取り外しの際に、作業者によるフィルター部のグリル板からの引き出しにより、巻取装置から巻取用接続部材を安定して引き出すことができる。
【００１４】
本発明に係る浴室暖房乾燥機の第４特徴構成は、上記浴室暖房乾燥機の第２乃至第３特徴構成に加えて、
前記フィルター部が、前記引出方向に直交する方向に延びる接続棒を備え、当該接続棒に前記巻取用接続部材を巻設して前記フィルター部と前記巻取用接続部材とが接続されている点にある。
【００１５】
上記浴室暖房乾燥機の第４特徴構成によれば、フィルター部に接続棒が設けられているので、接続棒に巻取用接続部材を巻設することで、フィルター部と巻取用接続部材とを容易に接続することができる。また、巻取用接続部材の接続棒の巻設を解くことで、巻取用接続部材から容易にフィルター部を取り外すことができ、フィルター部の交換及びフィルター部の清掃を容易に行うことができる。
【００１６】
本発明に係る浴室暖房乾燥機の第５特徴構成は、上記浴室暖房乾燥機の第２乃至第４特徴構成に加えて、
前記操作部が棒状部材で形成され、前記棒状部材の長手方向が前記引出方向に沿う状態で、当該棒状部材の一端側が前記フィルター部と接続されている点にある。
【００１７】
上記浴室暖房乾燥機の第５特徴構成によれば、作業者は棒状部材を把持して引っ張ることで、巻取装置の付勢手段による付勢力に反してフィルター部をグリル板から容易に取り外すことができる。
【００１８】
本発明に係る浴室暖房乾燥機の第６特徴構成は、上記浴室暖房乾燥機の第１乃至第５特徴構成に加えて、
前記グリル板に前記操作部を収納する収納部が設けられ、
前記収納部又は前記操作部の少なくとも一方に磁石が設けられ、
前記フィルター部が前記空気の吸入口に位置する状態で、当該磁石の磁力により、前記操作部が前記収納部に収納される点にある。
【００１９】
上記浴室暖房乾燥機の第６特徴構成によれば、作業者により作業を行うことなく、磁着により操作部を収納部に収納することができる。また、操作部を収納部に収容することで、作業者等が誤って操作部と接触する等によりフィルター部がグリル板から取り外されてしまうことを防止することができる。さらに、操作部を収納部に収容することで、グリル板から操作部が突出せず、デザイン性を向上することができる。
【図面の簡単な説明】
【００２０】
【図１】本発明に係る浴室暖房乾燥機の概略構成図
【図２】浴室暖房乾燥機の装置本体の断面図
【図３】フィルター部の概略平面図
【図４】グリル板の概略平面図
【図５】巻取装置の概略斜視図
【図６】フィルター部のグリル板からの取り外し動作を示す図
【図７】フィルター部のグリル板への取り付け動作を示す図
【発明を実施するための形態】
【００２１】
以下、図面に基づいて、本発明に係る浴室暖房乾燥機の実施形態を説明する。
図１及び図２に示すように、浴室暖房乾燥機は、装置本体Ｍと、その装置本体Ｍに加熱した熱媒を循環供給する熱源機Ｇと、浴室暖房乾燥機の運転を制御する制御手段としての運転制御部Ｃと、その運転制御部Ｃに各種制御指令を指令する浴室リモコンＲ１及び脱衣室リモコンＲ２とを備えて構成されている。浴室リモコンＲ１は、浴室Ｂ内に備えられ、脱衣室リモコンＲ２は、浴室Ｂに隣接する脱衣室に備えられる。
【００２２】
装置本体Ｍは、本体ケーシング１（本体の一例）と、その下方に設けられたグリル板２とで構成されている。そして、本体ケーシング１が浴室Ｂの天井裏に配置され、グリル板２を天井板１０の浴室側の天井面に配設されている。尚、装置本体Ｍは、吊り金具１１にて、天井スラブ等に吊り下げ支持される。また、ダクト接続部Ｅに接続された排気ダクト５は、浴室Ｂの天井裏を這わして先端を外壁等から屋外に臨ませるように施工される。
【００２３】
本体ケーシング１は、下方が略全体にわたって開口した概ね直方体形状の箱状に構成され、その本体ケーシング１内には、吸入口３から吸い込んだ空気を吹出口４から吹き出すように通風作用する循環ファン６、吸入口３から吸い込んだ空気をダクト接続部Ｅを通して本体ケーシング１外に排出する排気ファン７、循環ファン６により通風される空気を熱源機Ｇから熱媒循環路８を通して循環供給される熱媒にて加熱する暖房用熱交換器９等が装備されている。
【００２４】
グリル板２には、空気の吸入口３及び吹出口４が形成され、本体ケーシング１の下方の開口を塞ぐ状態で装備されている。この吸入口３にはフィルター部２０が着脱自在に設けられており、そのフィルター部２０に接続される巻取用接続部材３１を巻き取り収納可能な巻取装置３０が設けられている。また、吸入口３には格子状に形成された吸入口フィン３ｃが設けられている。
【００２５】
そして、図２に示すように、本体ケーシング１の内部に、中抜き矢印にて示す如く吸入口３を通して浴室Ｂ内の空気を吸い込んで吹出口４を通して吹き出すための循環通風路１８が、導風板１６により区画形成されている。この循環通風路１８は、導風板１６により、本体ケーシング１の内部における排気口１３が臨む空間部分と区画されている。
そして、この循環通風路１８内に、循環ファン６が、吸入口３に吸込み作用すると共に、その吸入口３から吸い込んだ空気を吹出口４に向けて吐出するように通風作用する状態で設けられている。
【００２６】
暖房用熱交換器９が、循環通風路１８内における循環ファン６よりも通風方向上流側に設けられて、熱源機Ｇから循環供給される熱媒との熱交換により、循環通風路１８内を通風する空気を加熱するよう構成されている。ちなみに、暖房用熱交換器９は、一対の熱交換器部分にて構成され、これら一対の熱交換部分が正面視でＬ字状に配設されている。
つまり、循環ファン６の通風作用により、吸入口３を通して吸い込まれた浴室Ｂ内の空気が、暖房用熱交換器９にて加熱された後、吹出口４を通して浴室Ｂ内に吹き出されるように構成されており、これにより、浴室Ｂ内が暖房される浴室暖房運転が行われる。この浴室暖房運転は浴室リモコンＲ１及び脱衣室リモコンＲ２からの指令により実施される。
【００２７】
また、吹出口４には、電動モータ（図示省略）により揺動駆動される可動ルーバ１９が設けられ、この可動ルーバ１９により、吹出口４から浴室Ｂ内に吹き出される空気の風向が変更可能なように構成されている。
【００２８】
排気ファン７が、本体ケーシング１の内部において、排気口１３が形成された内側面と導風板１６との間の部分に設けられたファンケース７ｃ内に設けられている。また、排気ファン７を回転駆動する電動モータ７ｂがファンケース７ｃの上面に配置されている。
また、図示を省略するが、排気口１３が形成された内側面と導風板１６との間の排気ファン７が配設された空間部分は、循環通風路１８内における暖房用熱交換器９よりも通風方向上流側の部分に連通するように構成されている。
【００２９】
そして、循環ファン６が作動されている状態で、排気ファン７が作動されると、循環ファン６の通風作用により浴室Ｂから吸い込まれた空気の一部が、暖房用熱交換器９により加熱される前に排気ファン７の通風作用により分流され、それに伴う風圧により排気口シャッタ１７が開かれて、分流された空気が排気口１３から排気導風ボックス１４及び排気ダクト５を通して屋外に排出される浴室換気運転が行われる。又、循環ファン６が停止されている状態で、排気ファン７が作動されると、排気ファン７の通風作用により浴室Ｂ内の空気が吸入口３を通して吸い込まれ、それに伴う風圧により排気口シャッタ１７が開かれて、浴室Ｂ内の空気が排気口１３から排気導風ボックス１４及び排気ダクト５を通して屋外に排出される浴室換気運転が行われる。この浴室換気運転は、浴室リモコンＲ１及び脱衣室リモコンＲ２からの指令により実施される。
【００３０】
次に、浴室暖房乾燥機の各部について説明を加える。
図３に基づいてフィルター部２０について説明する。フィルター部２０は、空気をフィルタリングするフィルター２１と、そのフィルター２１を支持する枠体２２と、フィルター部２０をグリル板２の吸入口３に着脱する際に、作業者が保持して操作を行うための操作部２３とで構成されている。また、フィルター部２０は、グリル板２に設けられた案内部開口２ａから引き込まれ、案内部２ｂにより案内されて吸入口３に位置される（図２参照）。これにより、グリル板２の吸入口３から本体ケーシング１内に吸入する浴室内の空気に含まれる埃等を取り除くことができる。特に、浴室内において衣類乾燥を行う際に、衣類から発生して浴室内の空気に含まれる埃を取り除くことができる。
【００３１】
また枠体２２には、後述する巻取用接続部材３１が巻設されて接続されている接続棒２８が設けられている。この接続棒２８は、巻取装置３０からの巻取用接続部材３１の引き出しに伴って、フィルター部２０が案内部２ｂ内を移動する引出方向と反対方向側の枠体２２の端部２５に設けられ、その引出方向に直交する方向に延びる状態で端部２５に沿って設けられている。
【００３２】
この接続棒２８は、枠体２２の引出方向に直交する方向に等間隔に配置した３カ所に設けられた接続棒取付部材２６によって、端部２５と離間させた状態で巻設用隙間２７を形成して設けられている。そして、この巻設用隙間２７に巻取用接続部材３１を通過させる状態で、巻取用接続部材３１を接続棒２８に巻設してフィルター部２０と巻取用接続部材３１とが接続されている。
【００３３】
また、操作部２３が、枠体２２における引出方向側の端部２４に設けられている。操作部２３は棒状部材で形成され、この棒状部材の長手方向が引出方向に沿う状態で、棒状部材の一端側が枠体２２の引出方向側の端部２４に接続されている。よって、作業者は、例えば、この操作部２３を把持してグリル板２の吸入口３に設けられたフィルター部２０を、案内部開口２ａ（図２参照）から引出方向に引き出して、フィルター部２０をグリル板２から取り外すことができる。
【００３４】
次に、図４に基づいてグリル板２について説明する。
グリル板２には、上述の如く、空気の吸入口３及び吹出口４が形成され、吸入口３には格子状に形成された吸入口フィン３ｃが設けられている。また、グリル板２には、フィルター部２０が挿入される案内部開口２ａと、案内部開口２ａと連通してフィルター部２０を吸入口３まで案内する案内部２ｂとが設けられている。案内部開口２ａは、グリル板２において、吸入口３と吹出口４との間に設けられている。また、案内部２ｂは、引出方向に沿う吸入口３の縁部３ａと、その縁部３ａに沿って、その縁部３ａの本体ケーシング１側に設けられた案内板２ｃとの間に形成されている。そして、この案内板２ｃの案内部開口２ａに近接する部位に、引出方向に沿う断面視で、上方に向けて凹む円弧状の凹部２ｄが形成されている（図２参照）。
【００３５】
そして、グリル板２の本体ケーシング側面において、吸入口３の引出方向と反対方向側の反対方向側縁部３ｂには、フィルター部２０に接続された巻取用接続部材３１を巻き取り収納可能な巻取装置３０が設けられている。この巻取用接続部材３１が帯状部材で構成され、帯状部材の幅Ｗ１は、引出方向に直交する方向のフィルター部２０の幅Ｗ２（図３参照）の約２／３とされている。
【００３６】
また、グリル板２の浴室側面には、フィルター部２０に設けられた操作部２３を収納する収納部３２が設けられている。この収納部３２には磁石３２ａが設けられている。一方、フィルター部２０の操作部２３には磁性体（図示せず）が設けられており、これにより、巻取装置３０による巻取用接続部材３１の巻き取りが完了した巻取完了状態で、フィルター部２０がグリル板２の吸入口３に位置する状態で、この磁石３２ａの磁力により、操作部２３が収納部３２に磁着により収納される。
【００３７】
次に、図５に基づいて巻取装置３０について説明する。
巻取装置３０は、巻取用接続部材３１を巻き取り収納可能な巻取ローラ３３と、巻取用接続部材３１を巻き取る方向に巻取ローラ３３を付勢する付勢手段３４と、操作部２３の操作により付勢手段３４の付勢力に抗して巻取用接続部材３１を引き出す方向に回転する巻取ローラ３３を任意の回転位置で停止する停止状態とし、且つ、停止状態で操作部２３の操作により所定の引出量以下の巻取用接続部材３１を引き出すことで停止状態を解除して巻取ローラ３３による巻取用接続部材３１の巻き取りが完了した巻取完了状態とする回転規制機構と、調整ユニット３５とを備えている。なお、回転規制機構は、後述する回転規制ユニット３６と付勢手段３４とで構成されている。
そして、この巻取完了状態で、フィルター部２０がグリル板２の吸入口３に位置する状態となるように構成されている。
【００３８】
この巻取装置３０は、公知のものであるので詳述はしないが、両端に一対の支持部材４０が設けられたフレーム４１が設けられ、一対の支持部材４０によって巻取ローラ３３の両端が回転可能に支持されている。フレーム４１は、グリル板２の吸入口３の引出方向側の反対方向側縁部３ｂに取り付けられている。
【００３９】
巻取ローラ３３にはコイル状スプリング等で構成された付勢手段３４が内蔵されており、付勢手段３４の一端が調整ユニット３５を介して支持部材４０に固定され、その他端が巻取ローラ３３の内周面に固定部材３７を介して固定されている。よって、作業者によりフィルター部２０の引出方向への引出操作が行われると、巻取ローラ３３が巻取用接続部材３１を引き出す回転方向に回転して、付勢手段３４の他端が巻取ローラ３３と一体に回転して付勢力が蓄積される。これにより、フィルター部２０の引出方向への引出操作の後に、巻取ローラ３３の巻取用接続部材３１を巻き取る回転方向への回転が許容されると、付勢手段３４に蓄積された付勢力によって巻取ローラ３３が巻取用接続部材３１を巻き取る回転方向へと回転し、巻取用接続部材３１が巻き取られ、フィルター部２０が引出方向と反対側の挿入方向に移動する。
【００４０】
また、巻取ローラ３３には、回転規制ユニット３６が内蔵されており、この回転規制ユニット３６によって、巻取ローラ３３を停止状態とすること、及び、停止状態を解除することができるようになっている。よって、停止状態を解除して巻取ローラ３３による巻取用接続部材３１の巻き取りが完了した巻取完了状態とする回転規制機構は、この回転規制ユニット３６と付勢手段３４とで構成されている。
【００４１】
なお、調整ユニット３５は、付勢手段３４の巻取用接続部材３１を巻き取る回転方向への回転力を調整するためのユニットであり、付勢力調整ダイヤル３８を回転することで、その回転力を調整することができる。
【００４２】
次に、フィルター部２０のグリル板２からの取り外し動作について図６に基づいて説明する。
図６（ａ）に示すように、吸入口３にフィルター部２０が位置する状態（正しい位置に装着された状態）において、操作部２３がグリル板２の収納部３２に収納されているフィルター部２０の操作部２３を、図６（ｂ）に示すように収納部３２から取出す。そして、その操作部２３を把持して、図６（ｃ）に示すように、巻取装置３０の付勢手段３４の付勢力に反してグリル板２の案内部２ｂから引き出し、さらに、所望の高さ位置まで引き下げると、回転規制ユニット３６により、付勢手段３４による巻取ローラ３３の巻取用接続部材３１を巻き取る回転方向への回転が阻止された停止状態となる。このように、フィルター部２０を案内部２ｂから引き出して、フィルター部２０をグリル板２から容易に取り外すことができる。また、その際、フィルター部２０を浴室内の低い位置まで引き下げることで、作業者は、低い位置で停止状態となっているフィルター部２０の清掃や交換等を容易に実施することができる。
【００４３】
次に、フィルター部２０がグリル板２に装着されるフィルター部２０の取り付け動作について図６（ａ）、図６（ｂ）及び図７に基づいて説明する。
フィルター部２０が案内部２ｂから引き出されて、巻取ローラ３３が停止している停止状態で、作業者が、所定の引出量以下の巻取用接続部材３１の引出量となるように、フィルター部２０を引き出すことで、回転規制ユニット３６により、巻取ローラ３３の停止状態が解除され、巻取用接続部材３１の巻取ローラ３３による巻き取が開始される。
【００４４】
そうすると、図７（ａ）に示すように、巻取用接続部材３１の巻取ローラ３３による巻き取りに伴って、フィルター部２０がグリル板２の案内部開口２ａから案内部２ｂ内に急速に引き込まれるが、フィルター部２０の端部２４が、案内部開口２ａに近接する案内板２ｃの部位に設けられた円弧状の凹部２ｄに侵入当接し、余裕をもって案内部内に引き込まれ、凹部２ｄの円弧状の曲面によりフィルター部２０が案内部２ｂの延びる方向に案内される。よって、図７（ｂ）に示すように、フィルター部２０が、巻取用接続部材３１の巻取ローラ３３による巻き取りに伴って、案内部２ｂに円滑に引き込まれる。
【００４５】
その後、吸入口３にフィルター部２０が位置する状態となるまで巻取用接続部材３１が巻き取られると巻取完了状態となる（図６（ｂ）参照）。この状態では、フィルター部２０に付勢手段３４による付勢力が付勢されているが、案内部２ｂによってフィルター部２０の枠体２２に位置が規制されて、吸入口３にフィルター部２０が位置する状態、つまり、フィルター部２０がフィルタリングを正しく行える位置に装着された状態となる。よって、この巻取完了状態においてフィルター部２０は、引出方向と反対方向に付勢されており、フィルター部２０がグリル板２の案内部２ｂから落下することが防止されている。
【００４６】
また、吸入口３にフィルター部２０が位置する状態となると、収納部３２に設けられた磁石３２ａの磁力により、操作部２３がグリル板２の収納部３２に磁着により収納される（図６（ａ）参照）。よって、作業者は、フィルター部２０が案内部２ｂから引き出されて、巻取ローラ３３が停止状態となっている状態で、所定の引出量以下の巻取用接続部材３１を引き出すだけで、容易にグリル板２にフィルター部２０を取り付けることができる。
【００４７】
〔別実施形態〕
最後に、本発明の別実施形態について説明する。尚、以下に説明する各実施形態の構成は、夫々単独で適用されるものに限られず、矛盾が生じない限り、他の実施形態の構成と組み合わせて適用することも可能である。
（Ａ）上記実施形態においては、巻取用接続部材３１である帯状部材の幅は、引出方向に直交する方向のフィルター部２０の長さの約２／３としたが、これに限らず、帯状部材の幅は、引出方向に直交する方向のフィルター部２０の幅の１／３よりも大きい長さとすることができる。
【００４８】
（Ｂ）上記実施形態では、グリル板２の収納部３２に磁石３２ａが設けられ、フィルター部２０の操作部２３には磁性体が設けられたが、これに限らず、フィルター部２０の操作部２３に磁石を設け、グリル板２の収納部３２に磁性体を設けてもよい。また、グリル板２の収納部３２及びフィルター部２０の操作部２３の両方に磁石を設けてもよい。
【００４９】
（Ｃ）上記実施形態では、フィルター部２０の操作部２３は棒状部材で形成され、棒状部材の長手方向が引出方向に沿う状態で、枠体２２における引出方向側の端部２４に設けられたが、これに限らず、棒状部材の長手方向が引出方向と直交する状態で、枠体２２における引出方向側の端部２４に設けてもよい。
【産業上の利用可能性】
【００５０】
以上説明したように、フィルター部の取り付け及び取り外し作業を、力を要することなく容易に行うことができる浴室暖房乾燥機を提供することができる。
【符号の説明】
【００５１】
１      本体ケーシング（本体）
２      グリル板
２ｂ    案内部
２ｃ    案内板
２ａ    入口（案内部入口）
２ｄ    凸部
３      吸入口
３ａ    縁部
４      吹出口
２０    フィルター部
２３    操作部
２８    接続棒
３０    巻取装置
３１    巻取用接続部材
３２    収納部
３２ａ  磁石
３３    巻取ローラ
３４    付勢手段
【図１】
2015140978.tif 000003
【図２】
2015140978.tif 000004
【図３】
2015140978.tif 000005
【図４】
2015140978.tif 000006
【図５】
2015140978.tif 000007
【図６】
2015140978.tif 000008
【図７】
2015140978.tif 000009